(57)【要約】【課題】トレイの保持面に垂れた液体が回路基板に到達する可能性を低減できる画像読取装置及び媒体搬送装置を提供する。【解決手段】画像読取装置１は、筐体３０と、媒体ＳＨを搬送方向に搬送する搬送部４０と、開閉軸心Ｘ３６Ａ周りで揺動可能に第１、２支持壁３１０、３２０に支持されるトレイ３６と、搬送部４０によってトレイ３６から搬送される媒体ＳＨの画像を読み取る読取部５５と、筐体３０の底面３０Ｂに沿って筐体３０内に設けられた回路基板５４と、筐体３０内に設けられ、第１支持壁３１０及び第２支持壁３２０の少なくとも一方に接触する第１吸収部材２１１、２２１とを備える。第１、２支持壁３１０、３２０は、トレイ３６における幅方向の一端側及び他端側を開閉軸心Ｘ３６Ａ周りで揺動可能に支持する第１、２支持部３１１、３２１を有する。第１吸収部材２１１、２２１は、第１、２支持部３１１、３２１よりも下側に配置される。【選択図】図７
2015048164.tif 000002
【特許請求の範囲】
【請求項１】
幅方向において互いに対向する第１支持壁及び第２支持壁を有する筐体と、
前記筐体に設けられ、媒体を前記幅方向と直交する搬送方向に搬送する搬送部と、
前記幅方向に延びる開閉軸心周りで開放位置と閉鎖位置とに揺動可能に前記第１支持壁及び前記第２支持壁に支持され、前記開放位置において、前記筐体より前記搬送方向の上流側に位置し、媒体を下側から保持する保持面を構成するトレイと、
前記筐体内に設けられ、前記搬送部によって前記トレイから搬送される媒体の画像を読み取る読取部と、
前記筐体の底面に沿って前記筐体内に設けられ、前記搬送部及び前記読取部の少なくとも一方を制御する回路基板と、
前記筐体内に設けられ、前記第１支持壁及び前記第２支持壁の少なくとも一方に接触し、液体を吸収可能な第１吸収部材とを備え、
前記第１支持壁は、前記トレイにおける前記幅方向の一端側を前記開閉軸心周りで揺動可能に支持する第１支持部を有し、
前記第２支持壁は、前記トレイにおける前記幅方向の他端側を前記開閉軸心周りで揺動可能に支持する第２支持部を有し、
前記第１吸収部材は、前記第１支持部及び前記第２支持部よりも下側に配置されていることを特徴とする画像読取装置。
【請求項２】
前記第１支持壁及び前記第２支持壁は、前記幅方向の外側から前記トレイを支持し、下側に延びる内面を有し、
前記第１吸収部材は、前記内面よりも下側に配置されている請求項１記載の画像読取装置。
【請求項３】
前記筐体は、前記第１支持壁の近傍から前記第２支持壁の近傍まで前記幅方向に延びる側面の少なくとも一部を構成する側壁を有し、
前記第１吸収部材は、前記側壁の内側に位置している請求項１又は２記載の画像読取装置。
【請求項４】
前記筐体内における前記回路基板よりも上側に設けられ、前記搬送方向において前記側壁と対向する対向部をさらに備え、
前記第１吸収部材は、前記側壁と前記対向部とに挟まれて潰れている請求項３記載の画像読取装置。
【請求項５】
前記筐体は、前記第１支持壁を前記幅方向の外側から覆う第１カバーと、
前記第２支持壁を前記幅方向の外側から覆う第２カバーとをさらに有し、
前記第１吸収部材は、前記第１支持壁及び前記第２支持壁に接触し、
前記第１カバー及び前記第２カバーの内側には、前記第１支持壁及び前記第２支持壁の前記第１カバー及び前記第２カバーと対向する外面よりも下側に配置され、前記第１吸収部材と接触し、液体を吸収可能な第２吸収部材が設けられている請求項１乃至４のいずれか１項記載の画像読取装置。
【請求項６】
前記第１吸収部材と前記第２吸収部材とは、互いに対面する端面において接触し、
前記第１吸収部材及び前記第２吸収部材の少なくとも一方の前記端面には、凹部が形成されている請求項５記載の画像読取装置。
【請求項７】
前記筐体は、前記第１支持壁の近傍から前記第２支持壁の近傍まで前記幅方向に延びる側面の少なくとも一部を構成する側壁を有し、
前記側壁には、前記トレイの下側、かつ前記第１支持部及び前記第２支持部の一方の近傍に位置し、前記幅方向の長さが前記保持面より小さい導入口が形成され、
前記第１吸収部材は、前記導入口の下側に位置している請求項１乃至６のいずれか１項記載の画像読取装置。
【請求項８】
幅方向において互いに対向する第１支持壁及び第２支持壁を有する筐体と、
前記筐体に設けられ、媒体を前記幅方向と直交する搬送方向に搬送する搬送部と、
前記幅方向に延びる開閉軸心周りで開放位置と閉鎖位置とに揺動可能に前記第１支持壁及び前記第２支持壁に支持され、前記開放位置において、前記筐体より前記搬送方向の上流側に位置し、媒体を下側から保持する保持面を構成するトレイと、
前記筐体内に設けられ、前記搬送部によって前記トレイから搬送される媒体に所定の処理を行う処理部と、
前記筐体の底面に沿って前記筐体内に設けられ、前記搬送部及び前記処理部の少なくとも一方を制御する回路基板と、
前記筐体内に設けられ、前記第１支持壁及び前記第２支持壁の少なくとも一方に接触し、液体を吸収可能な第１吸収部材とを備え、
前記第１支持壁は、前記トレイにおける前記幅方向の一端側を前記開閉軸心周りで揺動可能に支持する第１支持部を有し、
前記第２支持壁は、前記トレイにおける前記幅方向の他端側を前記開閉軸心周りで揺動可能に支持する第２支持部を有し、
前記第１吸収部材は、前記第１支持部及び前記第２支持部よりも下側に配置されていることを特徴とする媒体搬送装置。
【発明の詳細な説明】
【技術分野】
【０００１】
本発明は画像読取装置及び媒体搬送装置に関する。
【背景技術】
【０００２】
特許文献１に従来の画像読取装置の例が開示されている。この画像読取装置は、筐体と搬送部とトレイと読取部とを備えている。筐体は、幅方向において互いに対向する第１支持壁及び第２支持壁を有している。搬送部は、筐体に設けられている。搬送部は、媒体を幅方向と直交する搬送方向に搬送する。トレイは、幅方向に延びる開閉軸心周りで開放位置と閉鎖位置とに揺動可能に第１支持壁及び第２支持壁に支持されている。トレイは、開放位置において、筐体より搬送方向の上流側に位置し、媒体を下側から保持する保持面を構成する。読取部は、筐体内に設けられている。読取部は、搬送部によってトレイから搬送される媒体の画像を読み取る。
【先行技術文献】
【特許文献】
【０００３】
【特許文献１】特開２００８−６８９８１号公報
【発明の概要】
【発明が解決しようとする課題】
【０００４】
ところで、上記従来の画像読取装置では、図示されていないが、搬送部及び読取部の少なくとも一方を制御する回路基板が筐体内に設けられる。その回路基板は、一般的に、筐体の底面に沿って配される。
【０００５】
媒体に対して画像形成等を行わずに媒体の画像の読み取りに特化した画像読取装置では、小型化により、筐体内における回路基板の設置スペースが小さくなる傾向にある。一方で、読み取り対象である用紙等の媒体のサイズは、規格化されている一般的な用紙サイズであることが多いため、トレイの保持面は、媒体を保持するためにある程度の面積を必要とする。そのため、トレイが開放位置にある場合、画像読取装置の筐体のサイズのうち、トレイが大きな割合を占める傾向にある。ここで、ユーザが画像読取装置に水等の液体をこぼしてしまう場合がある。トレイが大きな割合を占めるため、液体がトレイの保持面に垂れる可能性が高くなる。このため、トレイの保持面に垂れた液体がトレイにおける幅方向の一端側と第１支持壁との間の隙間、又はトレイにおける幅方向の他端側と第２支持壁との間の隙間から筐体内に進入して回路基板に到達し易くなり、ひいては、回路基板にショート等の不具合が発生するおそれがある。
【０００６】
本発明は、トレイの保持面に垂れた液体が回路基板に到達する可能性を低減できる画像読取装置及び媒体搬送装置を提供することを目的とする。
【課題を解決するための手段】
【０００７】
本発明の画像読取装置は、幅方向において互いに対向する第１支持壁及び第２支持壁を有する筐体と、
前記筐体に設けられ、媒体を前記幅方向と直交する搬送方向に搬送する搬送部と、
前記幅方向に延びる開閉軸心周りで開放位置と閉鎖位置とに揺動可能に前記第１支持壁及び前記第２支持壁に支持され、前記開放位置において、前記筐体より前記搬送方向の上流側に位置し、媒体を下側から保持する保持面を構成するトレイと、
前記筐体内に設けられ、前記搬送部によって前記トレイから搬送される媒体の画像を読み取る読取部と、
前記筐体の底面に沿って前記筐体内に設けられ、前記搬送部及び前記読取部の少なくとも一方を制御する回路基板と、
前記筐体内に設けられ、前記第１支持壁及び前記第２支持壁の少なくとも一方に接触し、液体を吸収可能な第１吸収部材とを備え、
前記第１支持壁は、前記トレイにおける前記幅方向の一端側を前記開閉軸心周りで揺動可能に支持する第１支持部を有し、
前記第２支持壁は、前記トレイにおける前記幅方向の他端側を前記開閉軸心周りで揺動可能に支持する第２支持部を有し、
前記第１吸収部材は、前記第１支持部及び前記第２支持部よりも下側に配置されていることを特徴とする。
【０００８】
本発明の画像読取装置では、液体を吸収可能な第１吸収部材が筐体内において第１支持壁及び第２支持壁の少なくとも一方に接触している。そして、第１吸収部材は、第１支持部及び第２支持部よりも下側に配置されている。このため、トレイの保持面に垂れた液体がトレイの一端側と第１支持部との間の隙間、又はトレイの他端側と第２支持部との間の隙間から筐体内に進入しても、それらの隙間の少なくとも一方よりも下側で第１吸収部材がその液体を吸収できる。
【０００９】
したがって、本発明の画像読取装置では、トレイの保持面に垂れた液体が回路基板に到達する可能性を低減できる。ひいては、回路基板にショート等の不具合が発生し難い。
【００１０】
第１支持壁及び第２支持壁は、幅方向の外側からトレイを支持し、下側に延びる内面を有していることが望ましい。そして、第１吸収部材は、内面よりも下側に配置されていることが望ましい。この構成によれば、筐体内に進入する液体が内面を伝って下方に垂れても、第１吸収部材がその液体を確実に吸収できる。
【００１１】
筐体は、第１支持壁の近傍から第２支持壁の近傍まで幅方向に延びる側面の少なくとも一部を構成する側壁を有していることが望ましい。そして、第１吸収部材は、側壁の内側に位置していることが望ましい。この構成によれば、筐体の側壁と、筐体に内蔵された構成部品との間に元からある空間に第１吸収部材を配するだけでよく、第１吸収部材が嵩張らないので、大型化を抑制できる。
【００１２】
本発明の画像読取装置は、筐体内における回路基板よりも上側に設けられ、搬送方向において側壁と対向する対向部をさらに備えていることが望ましい。そして、第１吸収部材は、側壁と対向部とに挟まれて潰れていることが望ましい。この構成によれば、第１吸収部材と対向部との間に隙間ができないので、液体が対向部を伝って下方に垂れる場合でも、第１吸収部材がその液体を確実に吸収できる。
【００１３】
筐体は、第１支持壁を幅方向の外側から覆う第１カバーと、第２支持壁を幅方向の外側から覆う第２カバーとをさらに有していることが望ましい。第１吸収部材は、第１支持壁及び第２支持壁に接触していることが望ましい。そして、第１カバー及び第２カバーの内側には、第１支持壁及び第２支持壁の第１カバー及び第２カバーと対向する外面よりも下側に配置され、第１吸収部材と接触し、液体を吸収可能な第２吸収部材が設けられていることが望ましい。この構成によれば、第１支持壁及び第２支持壁に接触する第１吸収部材が第１支持部及び第２支持部よりも下側で液体を吸収し、第１吸収部材が吸収しきれない液体をさらに第２吸収部材が吸収するので、トレイの保持面に垂れた液体が回路基板に到達する可能性を一層低減できる。また、この画像読取装置では、第１カバー及び第２カバーと第１支持壁及び第２支持壁の外面との間に元からある空間に第２吸収部材を配するだけでよく、第２吸収部材が嵩張らないので、大型化を抑制できる。
【００１４】
第１吸収部材と第２吸収部材とは、互いに対面する端面において接触していることが望ましい。そして、第１吸収部材及び第２吸収部材の少なくとも一方の端面には、凹部が形成されていることが望ましい。この構成によれば、第１吸収部材及び第２吸収部材の端面同士が接触することにより、第１吸収部材が吸収しきれない液体を第２吸収部材が確実に吸収できる。また、端面同士が接触して潰れることによる厚みの増加を凹部によって抑制できる。
【００１５】
筐体は、第１支持壁の近傍から第２支持壁の近傍まで幅方向に延びる側面の少なくとも一部を構成する側壁を有していることが望ましい。側壁には、トレイの下側、かつ第１支持部及び第２支持部の一方の近傍に位置し、幅方向の長さが保持面より小さい導入口が形成されていることが望ましい。そして、第１吸収部材は、導入口の下側に位置していることが望ましい。この場合、筐体内における導入口が設けられていない範囲には、回路基板への液体の到達を抑制する遮蔽物を配し易い。その一方、筐体内における導入口の周辺には、そのような遮蔽物を配し難い。この点、上記構成によれば、そのような遮蔽物がなくても、導入口の下側に位置する第１吸収部材により、回路基板への液体の到達を抑制できる。
【００１６】
本発明の媒体搬送装置は、幅方向において互いに対向する第１支持壁及び第２支持壁を有する筐体と、
前記筐体に設けられ、媒体を前記幅方向と直交する搬送方向に搬送する搬送部と、
前記幅方向に延びる開閉軸心周りで開放位置と閉鎖位置とに揺動可能に前記第１支持壁及び前記第２支持壁に支持され、前記開放位置において、前記筐体より前記搬送方向の上流側に位置し、媒体を下側から保持する保持面を構成するトレイと、
前記筐体内に設けられ、前記搬送部によって前記トレイから搬送される媒体に所定の処理を行う処理部と、
前記筐体の底面に沿って前記筐体内に設けられ、前記搬送部及び前記処理部の少なくとも一方を制御する回路基板と、
前記筐体内に設けられ、前記第１支持壁及び前記第２支持壁の少なくとも一方に接触し、液体を吸収可能な第１吸収部材とを備え、
前記第１支持壁は、前記トレイにおける前記幅方向の一端側を前記開閉軸心周りで揺動可能に支持する第１支持部を有し、
前記第２支持壁は、前記トレイにおける前記幅方向の他端側を前記開閉軸心周りで揺動可能に支持する第２支持部を有し、
前記第１吸収部材は、前記第１支持部及び前記第２支持部よりも下側に配置されていることを特徴とする。
【００１７】
本発明の媒体搬送装置では、本発明の画像読取装置と同様に、トレイの保持面に垂れた液体が回路基板に到達する可能性を低減できる。ひいては、回路基板にショート等の不具合が発生し難い。
【図面の簡単な説明】
【００１８】
【図１】実施例の画像読取装置に係り、トレイが開放位置にある状態の主に前方を示す斜視図である。
【図２】実施例の画像読取装置に係り、トレイが閉鎖位置にある状態の主に後方を示す斜視図である。
【図３】実施例の画像読取装置に係り、トレイが閉鎖位置にある状態の主に前方を示す斜視図である。
【図４】実施例の画像読取装置に係り、トレイが開放位置にある状態を示す模式上面図である。
【図５】実施例の画像読取装置に係り、図４のＡ−Ａ断面を示す断面図である。
【図６】実施例の画像読取装置に係り、図４のＢ−Ｂ断面であって、トレイが閉鎖位置にある状態を示す断面図である。
【図７】実施例の画像読取装置に係り、第２筐体から第１カバーと第２カバーと後壁と底板とを取り外した状態の主に後方を示す斜視図である。
【図８】実施例の画像読取装置に係り、図７から第１吸収部材をさらに取り外した状態の主に後方を示す斜視図である。
【図９】実施例の画像読取装置に係り、第１カバーの斜視図である。
【図１０】実施例の画像読取装置に係り、第２カバーの斜視図である。
【図１１】実施例の画像読取装置に係り、（ａ）は後壁の斜視図であり、（ｂ）は（ａ）のＣ−Ｃ断面を示す部分断面図である。
【図１２】実施例の画像読取装置に係り、第１支持壁、第２支持壁、第１吸収部材及び第２吸収部材の相対位置関係を示す模式図である。
【発明を実施するための形態】
【００１９】
以下、本発明を具体化した実施例を図面を参照しつつ説明する。
【００２０】
（実施例）
図１に示すように、実施例の画像読取装置１は、本発明の画像読取装置及び媒体搬送装置の具体的態様の一例である。図１では、排出口１３側を装置の前側と規定し、排出口１３に対向した場合に左手に来る側を左側と規定して、前後、左右及び上下の各方向を表示する。そして、図２以降に示す各方向は、全て図１に示す各方向に対応させて表示する。以下、図１等に基づいて、画像読取装置１が備える各構成要素について説明する。
【００２１】
＜全体構成＞
図１〜図６に示すように、画像読取装置１は、筐体３０とトレイ３６とを備えている。筐体３０は、第１筐体３１と第２筐体３２とを有している。
【００２２】
第１筐体３１は、第２筐体３２の上側に位置している。第１筐体３１と第２筐体３２とは、上下方向の間隔を有して互いに対向している。図１〜図３に示すように、第２筐体３２は、第１カバー３１９と第２カバー３２９と後壁３４とを有している。第１カバー３１９は、第２筐体３２の右側面を構成している。第２カバー３２９は、第２筐体３２の左側面を構成している。図２に示すように、後壁３４は、第２筐体３２の後面３２Ｃ、すなわち筐体３０の後面の一部を構成している。後面３２Ｃは、下側に向かって略垂直に延びている。
【００２３】
図２及び図１１（ａ）に示すように、後壁３４は左右方向に延びて、その左右両端部が第１カバー３１９及び第２カバー３２９の後端縁に連結されている。後壁３４は、本発明の「側壁」の一例である。筐体３０の後面は、「第１支持壁の近傍から第２支持壁の近傍まで幅方向に延びる側面」の一例である。
【００２４】
また、第２筐体３２は、図７及び図８に示すように、第１支持壁３１０及び第２支持壁３２０を有している。図７及び図９に示すように、第１支持壁３１０は、第１カバー３１９に右側から覆われている。図８及び図１０に示すように、第２支持壁３２０は、第２カバー３２９に左側から覆われている。
【００２５】
図７及び図８に示すように、第１支持壁３１０は、第２筐体３２の右側に位置して上側に延びている。第２支持壁３２０は、第２筐体３２の左側に位置して上側に延びている。第１支持壁３１０及び第２支持壁３２０は、左右方向において互いに対向する。第１支持壁３１０及び第２支持壁３２０は、第１筐体３１を左右方向の外側から挟む。本実施例では、幅方向は、左右方向である。また、幅方向と直交する搬送方向は、後側から前側に向かう方向である。
【００２６】
図１、図５及び図６に示すように、第１筐体３１は、上面３１Ａ、前面３１Ｂ及び上側案内面３１Ｇを有している。上面３１Ａは、上側を向く平面である。上面３１Ａは、後側から前側に向かって下り傾斜している。上面３１Ａの中央には、タッチパネル７０が設けられている。前面３１Ｂは、前側を向く平面である。前面３１Ｂは、上面３１Ａの前端縁に連続し、下側に向かって垂直に延びている。上側案内面３１Ｇは、下側を向く屈曲平面である。上側案内面３１Ｇは、上面３１Ａの後端縁の下側から前側に向かって下り傾斜している。上側案内面３１Ｇは、第１筐体３１における前後方向の略中央において水平に向きを変える。上側案内面３１Ｇは、前側に向かって略水平に延びて、前面３１Ｂの下端縁３１ＢＡに連続している。
【００２７】
図１、図２、図５及び図６に示すように、第２筐体３２は、前面３２Ｂ及び下側案内面３２Ｇを有している。前面３２Ｂは、前側を向く平面である。前面３２Ｂの上端縁３２ＢＡは、前面３１Ｂの下端縁３１ＢＡに対して、隙間を有して下側に離間している。前面３２Ｂは、下側に向かって垂直に延びている。下側案内面３２Ｇは、上側を向く屈曲平面である。下側案内面３２Ｇは、後面３２Ｃの上端縁の上側から上側案内面３１Ｇに沿うように、前側に向かって下り傾斜している。下側案内面３２Ｇは、第２筐体３２における前後方向の中央において水平に向きを変える。下側案内面３２Ｇは、前側に向かって水平に延びて、前面３２Ｂの上端縁３２ＢＡに連続している。
【００２８】
図６に示すように、第２筐体３２は、下側カード案内面３２Ｊ及び上側カード案内面３２Ｈを有している。下側カード案内面３２Ｊは、下側案内面３２Ｇの水平部分における右端部に連続し、後側に向かって水平に延びて後面３２Ｃまで達している。上側カード案内面３２Ｈは、下側カード案内面３２Ｊに対して上側に離間している。上側カード案内面３２Ｈは、下側カード案内面３２Ｊと平行に、後側に向かって水平に延びて後面３２Ｃまで達している。上側カード案内面３２Ｈの上下方向の位置は、上側案内面３１Ｇの水平部分の上下方向の位置とほぼ同じである。
【００２９】
なお、上側案内面３１Ｇ、下側案内面３２Ｇ、上側カード案内面３２Ｈ及び下側カード案内面３２Ｊは、平滑な平面からなる構成に限定されず、複数のリブの先端縁等によって構成されていてもよい。
【００３０】
図４及び図６に示すように、下側カード案内面３２Ｊが下側案内面３２Ｇの水平部分における右端部に連続する位置を合流位置Ｊ１とする。
【００３１】
図１及び図４〜図６に示すように、筐体３０には、第１導入口１１と排出口１３とが形成されている。第１導入口１１に、シートＳＨが挿入される。シートＳＨは、例えば、用紙やＯＨＰシート等である。シートＳＨは、本発明の「媒体」の一例である。シートＳＨは、例えば、幅の広いものではレターサイズやＡ４サイズの用紙等であり、幅の狭いものでは葉書等である。なお、幅の狭い名刺やカード等については、屈曲平面である上側案内面３１Ｇ及び下側案内面３２Ｇに沿って案内されることが可能な程度に薄く曲り易い場合には、シートＳＨに含まれ得る。
【００３２】
より詳しくは、図５に示すように、第１導入口１１は、第１筐体３１と第２筐体３２との間に形成されている。第１導入口１１は、上側案内面３１Ｇの後端縁３１ＧＡと、下側案内面３２Ｇの後端縁３２ＧＡとの隙間である。図１に示すように、第１導入口１１は、右側の第１支持壁３１０の近傍から左側の第２支持壁３２０の近傍まで、左右方向に延びている。第１導入口１１の左右方向の長さは、シートＳＨの幅よりも長く設定されている。
【００３３】
図１及び図５に示すように、排出口１３からシートＳＨが排出される。排出口１３は、第１筐体３１と第２筐体３２との間に形成されている。より詳しくは、排出口１３は、前面３１Ｂの下端縁３１ＢＡと、前面３２Ｂの上端縁３２ＢＡとの隙間である。排出口１３は、右側の第１支持壁３１０の近傍から左側の第２支持壁３２０の近傍まで、左右方向に延びている。排出口１３の左右方向の長さは、第１導入口１１と同様、シートＳＨの幅よりも長く設定されている。
【００３４】
図４〜図６に示すように、画像読取装置１は、第１ガイド部１０を備えている。第１ガイド部１０は、第１筐体３１の上側案内面３１Ｇと、第２筐体３２の下側案内面３２Ｇとに上下方向から挟まれてなる通路である。第１ガイド部１０は、図４〜図６に示す第１搬送経路Ｐ１を形成している。第１ガイド部１０は、第１搬送経路Ｐ１に沿って、シートＳＨを後側の第１導入口１１から前側の排出口１３へ案内する。本実施例では、搬送方向は、後側から前側に向かう方向である。また、搬送方向に直交する幅方向は、左右方向である。
【００３５】
図５及び図６に示すように、第１ガイド部１０は、第１導入口１１から前側に向かって下り傾斜している。そして、第１ガイド部１０は、筐体３０における前後方向の中央において屈曲して前側に向きを変更し、排出口１３まで水平に延びている。
【００３６】
図２、図４及び図６に示すように、筐体３０には、第２導入口１２が形成されている。第２導入口１２は、本発明の「導入口」の一例である。第２導入口１２に、幅の狭いカードＣＡが挿入される。カードＣＡは、小面積の枚葉である。カードＣＡは、例えば、名刺、キャッシュカード、会員証又は免許証等である。カードＣＡも、本発明の「媒体」の一例である。
【００３７】
より詳しくは、図６及び図１１（ａ）に示すように、第２導入口１２は、第２筐体３２の後壁３４に貫通して形成されている。第２導入口１２は、後面３２Ｃにおける上下方向の中間部、かつ右側の第１支持壁３１０側に開口している。第２導入口１２は、左右方向に延びている。図４に示すように、第２導入口１２の左右方向の長さは、第１導入口１１の左右方向の長さよりも小さく形成されている。また、第２導入口１２の左右方向の長さは、カードＣＡの幅よりも長く設定されている。図６に示すように、第２導入口１２の上下方向の位置は、第１ガイド部１０の水平部分及び排出口１３の上下方向の位置とほぼ同じである。第２導入口１２は、第１導入口１１の右端側と上下方向において重なる位置にある。
【００３８】
図３及び図６に示すように、排出口１３の右端側から、カードＣＡが排出される。要するに、排出口１３からは、第１導入口１１から挿入されたシートＳＨ及び第２導入口１２から挿入されたカードＣＡが共通して排出される。
【００３９】
図４及び図６に示すように、画像読取装置１は、第２ガイド部２０を備えている。第２ガイド部２０は、第２筐体３２の上側カード案内面３２Ｈと下側カード案内面３２Ｊとに上下方向から挟まれてなる通路である。第２ガイド部２０は、合流位置Ｊ１において、第１ガイド部１０に合流する。
【００４０】
第２ガイド部２０が第１ガイド部１０に合流する合流位置Ｊ１は、上側案内面３１Ｇ及び下側案内面３２Ｇの前側から後側に向かって下り傾斜する部分から水平に向きを変える屈曲部分に設定されている。
【００４１】
図４に示すように、第１ガイド部１０の右端側において、第２ガイド部２０の左右方向の幅と同じ幅で合流位置Ｊ１から排出口１３まで延びる領域をカード搬送領域２９とする。第２ガイド部２０と、カード搬送領域２９とは、図４及び図６に示す第２搬送経路Ｐ２を形成している。第２搬送経路Ｐ２は、後側の第２導入口１２から前側の排出口１３の右端側まで水平に延びている。
【００４２】
第２ガイド部２０は、第２導入口１２から挿入されたカードＣＡを第２搬送経路Ｐ２に沿って第１ガイド部１０に合流するように案内する。そして、第１ガイド部１０のカード搬送領域２９は、そのカードＣＡを第２搬送経路Ｐ２に沿って排出口１３の右端側へ案内する。
【００４３】
図１〜図３等に示すように、トレイ３６は、基部３６Ａ、中間部３６Ｂ及び先端部３６Ｃを有している。基部３６Ａは、左右方向に延びる開閉軸心Ｘ３６Ａ周りに揺動可能に第１支持壁３１０及び第２支持壁３２０に支持されている。
【００４４】
より詳しくは、第１支持壁３１０は、図７及び図１２に示すように、第１支持部３１１を有している。第１支持部３１１は、第１支持壁３１０の後端縁側における上下方向の中間部に位置し、局所的に増厚されている。第１支持部３１１には、第１支持孔３１１Ｈが左右方向に貫通して形成されている。基部３６Ａの右端側には、第１軸部３６１が形成されている。第１軸部３６１は、開閉軸心Ｘ３６Ａを中心軸とする円柱状とされて右側に突出し、第１支持孔３１１Ｈに挿通されている。これにより、第１支持部３１１は、基部３６Ａの右端側を開閉軸心Ｘ３６Ａ周りで揺動可能に支持している。
【００４５】
一方、第２支持壁３２０は、図８及び図１２に示すように、第２支持部３２１を有している。第２支持部３２１は、第２支持壁３２０の後端縁側における上下方向の中間部に位置し、局所的に増厚されている。第２支持部３２１には、第２支持孔３２１Ｈが左右方向に貫通して形成されている。基部３６Ａの左端側には、第２軸部３６２が形成されている。第２軸部３６２は、開閉軸心Ｘ３６Ａを中心軸とする円柱状とされて左側に突出し、第２支持孔３２１Ｈに挿通されている。これにより、第２支持部３２１は、基部３６Ａの左端側を開閉軸心Ｘ３６Ａ周りで揺動可能に支持している。
【００４６】
中間部３６Ｂは、基部３６Ａの開閉軸心Ｘ３６Ａから遠い端縁側において、基部３６Ａに連結されている。先端部３６Ｃは、中間部３６Ｂの基部３６Ａから遠い端縁側において、中間部３６Ｂに連結されている。中間部３６Ｂの中央には、操作開口３９が矩形状に開口している。
【００４７】
トレイ３６が図１、図４及び図５に示す開放位置にある状態では、基部３６Ａ、中間部３６Ｂ及び先端部３６Ｃが下側案内面３２Ｇの傾斜部分に連続するように後側に向かって上り傾斜し、第１導入口１１を開放している。一方、トレイ３６が図２、図３及び図６に示す閉鎖位置にある状態では、基部３６Ａが垂直になって第２筐体３２の後面３２Ｃと面一になる。中間部３６Ｂが第１筐体３１の上面３１Ａを上側から覆う。先端部３６Ｃが第１筐体３１の前面３１Ｂを前側から覆う。つまり、トレイ３６は、開閉軸心Ｘ３６Ａ周りで開放位置と閉鎖位置とに揺動可能に第１支持壁３１０及び第２支持壁３２０に支持されている。
【００４８】
図２及び図３に示すように、トレイ３６が閉鎖位置にある状態において、操作開口３９は、タッチパネル７０を外部に露出させている。
【００４９】
図４及び図５に示すように、トレイ３６が開放位置にある状態において、基部３６Ａは、第１支持壁３１０及び第２支持壁３２０に支持された部分を除いて、第２筐体３２における下側案内面３２Ｇの後端縁３２ＧＡから後側に離間している。要するに、基部３６Ａは、後端縁３２ＧＡから搬送方向の上流側に少なくとも一部が離間している。この状態において、第２筐体３２の後端縁３２ＧＡと、基部３６Ａの後端縁３２ＧＡから離間している少なくとも一部との間に形成される隙間をＳ１とする。隙間Ｓ１は、第１支持壁３１０の近傍から第２支持壁３２０の近傍まで左右方向に延びている。
【００５０】
トレイ３６が開放位置にある状態において、基部３６Ａ、中間部３６Ｂ及び先端部３６Ｃの上側を向く面は、保持面３６Ｈを構成している。ユーザがトレイ３６に１枚又は複数枚のシートＳＨを載置すると、保持面３６ＨがそのシートＳＨを下側から保持する。
【００５１】
図２及び図６に示すように、トレイ３６の基部３６Ａに対して、第２導入口１２は下側に位置している。図４に示すように、保持面３６Ｈの左右方向の長さに対して、第２導入口１２の左右方向の長さが小さい。
【００５２】
図１及び図５に示すように、画像読取装置１は、左右一対の規制部３６Ｇを備えている。各規制部３６Ｇは、左右方向に摺動可能に基部３６Ａに設けられて、保持面３６Ｈ上に突出している。各規制部３６Ｇは、基部３６Ａ内に配された図示しないラック＆ピニオン機構に連結されている。各規制部３６Ｇは、トレイ３６の保持面３６Ｈに保持されるシートＳＨを左右方向の外側から挟んで左右方向の位置決めを行う。この際、各規制部３６Ｇは、ラック＆ピニオン機構によって連動し、第１導入口１１における左右方向の中央基準でシートＳＨを位置決めする。
【００５３】
図４〜図６に示すように、画像読取装置１は、回路基板５４と駆動源４０Ｍと搬送部４０と読取部５５とを備えている。読取部５５は、本発明の「処理部」の一例である。
【００５４】
図５〜図８に示すように、回路基板５４は、第２筐体３２内の下側に収容されている。回路基板５４は、筐体３０の底面３０Ｂに沿うように、第２筐体３２の前面３２Ｂの近傍から後面３２Ｃの近傍まで、前後方向に延びている。図７及び図８は、筐体３０の底面３０Ｂを構成する底板を取り外した状態を示している。回路基板５４は、筐体３０の底面３０Ｂに沿うように、右側の第１支持壁３１０の近傍から左側の第２支持壁３２０及び駆動源４０Ｍの近傍まで、左右方向に延びている。回路基板５４上には、ＣＰＵ、ＲＯＭ及びＲＡＭ等の制御回路が搭載されている。
【００５５】
図４及び図８に示すように、第２筐体３２の左端側には、収容室３２Ｍが形成されている。収容室３２Ｍは、左側の第２支持壁３２０の一部が右側に凹んでなる空間である。駆動源４０Ｍは、収容室３２Ｍに収容されている。駆動源４０Ｍは、モータ及び伝達ギヤ群を有している。駆動源４０Ｍは、そのモータが回路基板５４に制御されることにより、駆動力を発生する。
【００５６】
図４〜図６に示すように、搬送部４０は、分離ローラ４８、分離パッド４９、上流側搬送部４１及び下流側搬送部４２を有している。読取部５５は、第１読取部５５Ａ及び第２読取部５５Ｂを有している。これらは、第１ガイド部１０において、後側から前側から向かって、すなわち搬送方向の上流側から下流側に向かって、分離ローラ４８及び分離パッド４９、上流側搬送部４１、第２読取部５５Ｂ、第１読取部５５Ａ、下流側搬送部４２という順番で配されている。また、分離ローラ４８及び分離パッド４９は、合流位置Ｊ１よりも第１導入口１１側に配され、上流側搬送部４１、第２読取部５５Ｂ、第１読取部５５Ａ及び下流側搬送部４２は、合流位置Ｊ１よりも排出口１３側に配されている。以下、この順番で、これらの構成を説明する。
【００５７】
図４及び図５に示すように、分離ローラ４８は、第２筐体３２内に回転可能に支持されている。分離ローラ４８の上部は、下側案内面３２Ｇの傾斜部分から第１ガイド部１０に露出している。分離ローラ４８は、第１ガイド部１０における左右方向の中央部に配されている。
【００５８】
分離ローラ４８は、回路基板５４が駆動源４０Ｍを制御することにより、駆動源４０Ｍに回転駆動される。分離ローラ４８は、トレイ３６に載置されたシートＳＨに当接しつつ回転することにより、そのシートＳＨを第１ガイド部１０に送り出す。
【００５９】
図５に示すように、分離パッド４９は、第１筐体３１に組み付けられている。分離パッド４９は、上側案内面３１Ｇにおいて第１ガイド部１０に露出している。分離パッド４９は、ゴムやエラストマー等の摩擦部材からなる板状体である。分離パッド４９は、図示しない付勢部材に付勢されて、分離ローラ４８に押し付けられている。これにより、分離ローラ４８と分離パッド４９とは、第１ガイド部１０において搬送されるシートＳＨを挟んで一枚ずつ分離し得る。
【００６０】
図４〜図６に示すように、上流側搬送部４１は、第１搬送ローラ対４１Ａ、４１Ｂと、第２搬送ローラ対４１Ｄとを備えている。第１搬送ローラ対４１Ａ、４１Ｂ及び第２搬送ローラ対４１Ｄは、搬送方向において同じ位置に配されている。第１搬送ローラ対４１Ａ、４１Ｂ及び第２搬送ローラ対４１Ｄはそれぞれ、駆動源４０Ｍに駆動されて回転する駆動ローラと、その駆動ローラと対向する従動ローラとからなる。
【００６１】
第１搬送ローラ対４１Ａ、４１Ｂは、カード搬送領域２９の外側に位置している。第１搬送ローラ対４１Ａ、４１Ｂは、第１ガイド部１０においてシートＳＨをニップして搬送する。第２搬送ローラ対４１Ｄは、カード搬送領域２９の内側に位置している。第２搬送ローラ対４１Ｄは、第１ガイド部１０のカード搬送領域２９においてカードＣＡをニップして搬送する。また、第２搬送ローラ対４１Ｄは、シートＳＨがカード搬送領域２９を通過する程度に幅が広い場合に、そのシートＳＨをニップして搬送する。
【００６２】
第２読取部５５Ｂは、第２筐体３２に組み付けられている。より具体的には、第２読取部５５Ｂは、Ｃｏｎｔａｃｔ  Ｉｍａｇｅ  Ｓｅｎｓｏｒ（以後、「ＣＩＳ」と略す）、ＣＩＳホルダ及びコンタクトガラス等を備える。第２読取部５５Ｂの上面は、下側案内面３２Ｇの水平部分において第１ガイド部１０に露出している。
【００６３】
第１読取部５５Ａは、第１筐体３１に組み付けられている。より具体的には、第１読取部５５Ａは、ＣＩＳ、ＣＩＳホルダ及びコンタクトガラス等を備える。第１読取部５５Ａの下面は、上側案内面３１Ｇの水平部分において第１ガイド部１０に露出している。
【００６４】
図４に示すように、第１読取部５５Ａ及び第２読取部５５Ｂは、右側の第１支持壁３１０の近傍から、左側の第２支持壁３２０の近傍まで左右方向に延びている。図４〜図６に示すように、第１読取部５５Ａ及び第２読取部５５Ｂは、カード搬送領域２９を含む第１ガイド部１０全体を上下方向から挟むように対向している。
【００６５】
上記構成により、第１読取部５５Ａ及び第２読取部５５Ｂは、シートＳＨが第１ガイド部１０において搬送される場合、そのシートＳＨの両面の画像を読み取る。また、第１読取部５５Ａ及び第２読取部５５Ｂは、第２ガイド部２０に案内されて第１ガイド部１０に合流したカードＣＡがカード搬送領域２９において搬送される場合、そのカードＣＡの両面の画像を読み取る。
【００６６】
図４〜図６に示すように、下流側搬送部４２は、第１搬送ローラ対４２Ａ、４２Ｂ、４２Ｃと、第２搬送ローラ対４２Ｄとを備えている。第１搬送ローラ対４２Ａ、４２Ｂ、４２Ｃ及び第２搬送ローラ対４２Ｄは、搬送方向において同じ位置に配されている。第１搬送ローラ対４２Ａ、４２Ｂ、４２Ｃ及び第２搬送ローラ対４２Ｄはそれぞれ、駆動源４０Ｍに駆動されて回転する駆動ローラと、その駆動ローラと対向する従動ローラとからなる。
【００６７】
第１搬送ローラ対４２Ａ、４２Ｂ、４２Ｃは、カード搬送領域２９の外側に位置している。第１搬送ローラ対４２Ａ、４２Ｂ、４２Ｃは、第１ガイド部１０において搬送されるシートＳＨをニップして回転し、シートＳＨを排出口１３から筐体３０の外部に排出する。第２搬送ローラ対４２Ｄは、カード搬送領域２９の内側に位置している。第２搬送ローラ対４２Ｄは、カード搬送領域２９において画像が読み取られたカードＣＡをニップして回転し、カードＣＡを排出口１３の右端側から筐体３０の外部に排出する。また、第２搬送ローラ対４２Ｄは、シートＳＨがカード搬送領域２９を通過する程度に幅が広い場合に、そのシートＳＨをニップして排出口１３から筐体３０の外部に排出する。
【００６８】
図１及び図５に示すように、タッチパネル７０は、第１筐体３１の内部における上面３１Ａ側に組み付けられている。タッチパネル７０は、上面３１Ａにくり抜かれた矩形状のタッチパネル用開口３１Ｈにより外部に露出している。タッチパネル７０は、液晶パネルと、液晶パネルの背面側から光を照射する蛍光ランプやＬＥＤ等の光源と、液晶パネルの表面に貼り合わされた接触感知膜とを有している。
【００６９】
タッチパネル７０は、回路基板５４に制御されて、画像読取動作の処理状況やエラー状況等である画像読取装置１の稼働状況等を表示する。また、タッチパネル７０は、外部からの操作を受け付ける。具体的には、タッチパネル７０は、例えば、画像読取を開始するためのボタンや、設定入力用のボタン等の各種のボタンを表示する。そして、ユーザがいずれかのボタンに対応する処理の実行指示や設定入力を行うために、タッチパネル７０に触れると、タッチパネル７０は、その操作を受け付けて、回路基板５４に伝達する。
【００７０】
＜シート及びカードの画像読取動作＞
この画像読取装置１では、以下のようにして、シートＳＨ及びカードＣＡの画像が読み取られる。
【００７１】
図１及び図５に示すように、シートＳＨの画像が読み取られる場合、ユーザにより、トレイ３６が開放位置にある状態とされる。トレイ３６が開放位置に開放位置にある状態であれば、その状態が維持される。そして、ユーザにより、トレイ３６にシートＳＨが載置される。回路基板５４は、タッチパネル７０からシートＳＨの読取指示があった場合等に、図示しないシート検出センサによってトレイ３６の保持面３６ＨにシートＳＨが保持されていることを確認した上で、シートＳＨの画像読取動作を開始する。
【００７２】
そうすると、回路基板５４は、駆動源４０Ｍに駆動力を発生させるように制御する。これにより、まず、分離ローラ４８が分離パッド４９とシートＳＨを挟みながら回転する。分離ローラ４８は、トレイ３６上のシートＳＨを第１導入口１１から導入し、シートＳＨを第１ガイド部１０に送り出す。この際、複数枚のシートＳＨが重なった状態で搬送されようとしている場合、分離パッド４９とシートＳＨとの間の摩擦力などにより、シートＳＨが一枚ずつ分離され得る。
【００７３】
次に、上流側搬送部４１の第１搬送ローラ対４１Ａ、４１Ｂ及び第２搬送ローラ対４１Ｄによって、分離ローラ４８に送り出されたシートＳＨを第１ガイド部１０において搬送する。第１ガイド部１０において搬送されるシートＳＨの両面の画像が第１読取部５５Ａ及び第２読取部５５Ｂにより読み取られる。画像が読み取られたシートＳＨは、下流側搬送部４２の第１搬送ローラ対４２Ａ、４２Ｂ、４２Ｃ及び第２搬送ローラ対４２Ｄによって、排出口１３から筐体３０の外部に排出される。
【００７４】
一方、図２、図３及び図６に示すように、カードＣＡの画像が読み取られる場合、ユーザにより、トレイ３６が閉鎖位置にある状態とされる。トレイ３６が閉鎖位置にある状態であれば、その状態が維持される。そして、図２に示すように、ユーザにより、カードＣＡが筐体３０の後側から第２導入口１２に差し込まれる。そうすると、カードＣＡは、第２ガイド部２０を通過し、その先端がカード搬送領域２９に到達する。回路基板５４は、タッチパネル７０からカードＣＡの読取指示があった場合等に、図示しないカード検出センサによって第２導入口１２からカードＣＡが挿入されていることを確認した上で、カードＣＡの画像読取動作を開始する。
【００７５】
そうすると、回路基板５４は、駆動源４０Ｍに駆動力を発生させるように制御する。これにより、上流側搬送部４１の第２搬送ローラ対４１Ｄによって、カード搬送領域２９においてカードＣＡを搬送する。カード搬送領域２９において搬送されるカードＣＡの両面の画像が第１読取部５５Ａ及び第２読取部５５Ｂにより読み取られる。図３に示すように、画像が読み取られたカードＣＡは、下流側搬送部４２の第２搬送ローラ対４２Ｄによって、排出口１３の右端側から筐体３０の外部に排出される。
【００７６】
＜第１吸収部材及び第２吸収部材の構成＞
図７に示すように、画像読取装置１は、第１吸収部材２１１、２２１を備えている。第１吸収部材２１１、２２１は、第２筐体３２内に設けられている。第１吸収部材２１１、２２１は、液体を吸収可能なフェルト製である。右側の第１吸収部材２１１は、第１支持壁３１０の下側に接触している。左側の第１吸収部材２２１は、第２支持壁３２０の下側に接触している。
【００７７】
より詳しくは、図８及び図１２に示すように、第１支持壁３１０は、内面３１０Ａを有している。内面３１０Ａは、基部３６Ａの右端側を第１支持部３１１とともに右側から支持している。内面３１０Ａは、下側に略垂直に延びている。図７及び図１２に示すように、第１吸収部材２１１は、第１支持部３１１及び内面３１０Ａよりも下側に配置されている。
【００７８】
第２支持壁３２０は、内面３２０Ａを有している。内面３２０Ａは、基部３６Ａの左端側を第２支持部３２１とともに左側から支持している。内面３２０Ａは、下側に略垂直に延びている。第１吸収部材２２１は、第２支持部３２１及び内面３２０Ａよりも下側に配置されている。
【００７９】
第１吸収部材２１１、２２１は、図１１（ａ）に示す後壁３４の内側、より詳しくは、後壁３４の内面３４Ａ側に位置している。
【００８０】
図５〜図８に示すように、画像読取装置１は、補強部材５８をさらに備えている。補強部材５８は、本発明の「対向部」の一例である。補強部材５８は、筐体３０内における回路基板５４の後端縁側、かつ回路基板５４よりも上側に組み付けられている。補強部材５８は、左右方向及び上下方向に平板状に延びる金属部材である。補強部材５８は、前後方向において後壁３４と対向している。補強部材５８には、コネクタ等が組み付けられている。
【００８１】
図７に示すように、第１吸収部材２１１は、図示しない両面テープにより、補強部材５８の右端側に貼り付けられている。第１吸収部材２１１は、第２導入口１２の下側に位置している。第２吸収部材２２１は、図示しない両面テープにより、第２支持壁３２０の後端縁の下側に貼り付けられている。第１吸収部材２１１は、後壁３４の内面３４Ａと補強部材５８の右端側とに挟まれて潰れている。第１吸収部材２２１は、後壁３４の内面３４Ａと第２支持壁３２０の後端縁の下側とに挟まれて潰れている。
【００８２】
図９に示すように、第１カバー３１９の内側には、第２吸収部材２１２が設けられている。図１０に示すように、第２カバー３２９の内側には、第２吸収部材２２２が設けられている。第２吸収部材２１２、２２２は、第１吸収部材２１１、２２１と同様に、液体を吸収可能なフェルト製である。
【００８３】
図９に示すように、第２吸収部材２１２は、第１カバー３１９の内面の下側に、図示しない両面テープにより貼り付けられている。図９及び図１２に示すように、第２吸収部材２１２は、第１支持壁３１０の第１カバー３１９と対向する外面３１０Ｂよりも下側に配置されている。第２吸収部材２１２は、回路基板５４の右端縁の下側まで延びている。
【００８４】
図１２に第１吸収部材２１１と離間した状態の第２吸収部材２１２を実線で示すように、第１吸収部材２１１及び第２吸収部材２１２の互いに対面する端面２１１Ｅ、２１２Ｅには、複数の凹部２１１Ｈ、２１２Ｈが形成されている。各凹部２１１Ｈ、２１２Ｈは、三角状に切り欠かれている。
【００８５】
図１２に第１吸収部材２１１と接触した状態の第２吸収部材２１２を二点鎖線で示すように、第１吸収部材２１１と第２吸収部材２１２とは、端面２１１Ｅ、２１２Ｅ同士が突き当たることによって接触している。この際、各凹部２１１Ｈ、２１２Ｈが噛み合ったり、潰し合ったりしている。
【００８６】
図１０に示すように、第２吸収部材２２２は、第２カバー３２９の内面の下側に、図示しない両面テープにより貼り付けられている。図１０及び図１２に示すように、第２吸収部材２２２は、第２支持壁３２０の第２カバー３２９と対向する外面３２０Ｂよりも下側に配置されている。第２吸収部材２２２は、回路基板５４の左端縁の下側まで延びている。
【００８７】
図１２に第１吸収部材２２１と離間した状態の第２吸収部材２２２を実線で示すように、第１吸収部材２２１及び第２吸収部材２２２の互いに対面する端面２２１Ｅ、２２２Ｅには、複数の凹部２２１Ｈ、２２２Ｈが形成されている。各凹部２２１Ｈ、２２２Ｈは、三角状に切り欠かれている。
【００８８】
図１２に第１吸収部材２２１と接触した状態の第２吸収部材２２２を二点鎖線で示すように、第１吸収部材２２１と第２吸収部材２２２とは、端面２２１Ｅ、２２２Ｅ同士が突き当たることによって接触している。この際、各凹部２２１Ｈ、２２２Ｈが噛み合ったり、潰し合ったりしている。
【００８９】
＜溝部の構成＞
図５、図６及び図１１に示すように、画像形成装置１は、溝部１００を備えている。溝部１００は、後壁３４に設けられている。より詳しくは、後壁３４を熱可塑性樹脂の射出成型等によって製造する際に後壁３４の前側を向く面に一体成形されている。
【００９０】
溝部１００は、底壁部１００Ｂと溝壁１００Ａと有している。底壁部１００Ｂは、後壁３４の前側を向く面から前側に向けて突出し、かつ左右方向に延びている。溝壁１００Ａは、底壁部１００Ｂの前端縁に連続して形成されている。溝壁１００Ａは、底壁部１００Ｂの前端縁から屈曲して上側に突出し、かつ左右方向に延びている。溝部１００は、後壁３４の前側を向く面と、底壁部１００Ｂの上側を向く面と、溝壁１００Ａの後側を向く面とによって、上方が開放された溝状に形成されている。
【００９１】
図５及び図６に示すように、底壁部１００Ｂ及び溝壁１００Ａは、回路基板５４の上側に位置している。溝部１００は、筐体３０とトレイ３６との間の隙間Ｓ１に下側から対向しつつ左右方向に延びている。
【００９２】
図１１（ａ）に示すように、底壁部１００Ｂの右端側は、第２導入口１２の上端縁に沿って水平に延びている。底壁部１００Ｂは、第２導入口１２より左側において下り傾斜している。底壁部１００Ｂの左端側は、左側の第２支持壁３２０の近傍まで延びている。底壁部１００Ｂの左端側は、底壁部１００Ｂ全体の中で最も低くなっている。要するに、底壁部１００Ｂは、左右方向において回路基板５４から離間する程低くなるように傾斜している。図２及び図１１（ｂ）に示すように、後壁３４には、排出孔１１０が下向きに貫通するように形成されている。排出孔１１０は、底壁部１００Ｂの左端側の最も低い箇所の近傍と後面３２Ｃとを連通している。
【００９３】
＜作用効果＞
実施例の画像読取装置１では、図７及び図１２に示すように、液体を吸収可能なフェルト製の第１吸収部材２１１、２２１が第２筐体３２内において第１支持壁３１０及び第２支持壁３２０に接触している。そして、第１吸収部材２１１、２２１は、第１支持部３１１及び第２支持部３２１よりも下側に配置されている。より詳しくは、第１吸収部材２１１は、第１支持壁３１０の内面３１０Ａよりも下側に配置されている。第１吸収部材２２１は、第２支持壁３２０の内面３２０Ａよりも下側に配置されている。このため、図１２に示すように、トレイ３６の保持面３６Ｈに垂れた液体がトレイ３６の基部３６Ａの右端側と第１支持部３１１との間の隙間Ｓ３１、又は基部３６Ａの左端側と第２支持部３２１との間の隙間Ｓ３２から筐体３０内に進入しても、隙間Ｓ３１、Ｓ３２の下側で第１吸収部材２１１、２２１がその液体を吸収できる。また、その液体が内面３１０Ａ、３２０Ａを伝って下方に垂れても、内面３１０Ａ、３２０Ａの下側で第１吸収部材２１１、２２１がその液体を吸収できる。
【００９４】
したがって、実施例の画像読取装置１では、トレイ３６の保持面３６Ｈに垂れた液体が回路基板５４に到達する可能性を低減できる。ひいては、回路基板５４にショート等の不具合が発生し難い。
【００９５】
また、この画像読取装置１では、第１吸収部材２１１、２２１が後壁３４の内面３４Ａ側に位置している。このため、この画像読取装置１では、筐体３０の後壁３４と、第２筐体３３に内蔵された回路基板５４及び補強部材５８等との間に元からある空間に第１吸収部材２１１、２２１を配するだけでよく、第１吸収部材２１１、２２１が嵩張らないので、大型化を抑制できる。
【００９６】
さらに、この画像読取装置１では、右側の第１吸収部材２１１が後壁３４の内面３４Ａと補強部材５８の右端側とに挟まれて潰れている。このため、この画像読取装置１では、第１吸収部材２１１と補強部材５８の右端側との間に隙間ができないので、液体が補強部材５８の右端側を伝って下方に垂れる場合でも、第１吸収部材２１１がその液体を確実に吸収できる。
【００９７】
また、この画像読取装置１では、図９、図１０及び図１２に示すように、第１カバー３１９及び第２カバー３２９の内側に、液体を吸収可能なフェルト製の第２吸収部材２１２、２２２が設けられている。第２吸収部材２１２、２２２は、第１支持壁３１０及び第２支持壁３２０の外面３１０Ｂ、３２０Ｂよりも下側に配置されて、第１吸収部材２１１、２２１と接触している。これにより、この画像読取装置１では、図１２に示すように、第１吸収部材２１１、２２１が第１支持部３１１及び第２支持部３２１よりも下側で液体を吸収し、第１吸収部材２１１、２２１が吸収しきれない液体をさらに第２吸収部材２１２、２２２が吸収するので、トレイ３６の保持面３６Ｈに垂れた液体が回路基板５４に到達する可能性を一層低減できる。また、この画像読取装置１では、第１カバー３１９及び第２カバー３２９と第１支持壁３１０及び第２支持壁３２０の外面３１０Ｂ、３２０Ｂとの間に元からある空間に第２吸収部材２１２、２２２を配するだけでよく、第２吸収部材２１２、２２２が嵩張らないので、大型化を抑制できる。
【００９８】
さらに、この画像読取装置１では、図１２に二点鎖線で第２吸収部材２１２、２２２を示すように、第１吸収部材２１１、２２１と第２吸収部材２１２、２２２とは、互いに対面する端面２１１Ｅ、２２１Ｅ、２１２Ｅ、２２２Ｅ同士が接触している。この際、凹部２１１Ｈ、２２１Ｈ、２１２Ｈ、２２２Ｈが噛み合ったり潰し合ったりしている。このため、この画像読取装置１では、第１吸収部材２１１、２２１が吸収しきれない液体を第２吸収部材２１２、２２２が確実に吸収できる。また、端面２１１Ｅ、２２１Ｅ、２１２Ｅ、２２２Ｅ同士が接触して潰れることによる厚みの増加を凹部２１１Ｈ、２２１Ｈ、２１２Ｈ、２２２Ｈによって抑制できる。
【００９９】
また、この画像読取装置１では、図５及び図６に示すように、溝部１００が筐体３０内における回路基板５４の上側に設けられている。溝部１００は、上方が開放された溝状に形成され、筐体３０とトレイ３６との間の隙間Ｓ１に下側から対向しつつ左右方向に延びている。これにより、この画像読取装置１では、トレイ３６が開放位置にある状態で、トレイ３６の保持面３６Ｈに垂れた液体が筐体３０とトレイ３６との間の隙間Ｓ１から筐体３０内に進入しても、その進入した液体を溝部１００内に溜めることができる。また、溝部１００の底壁部１００Ｂは、図１１（ａ）に示すように、左右方向において回路基板５４から離間する程低くなるように傾斜している。そして、図２及び図１１（ｂ）に示すように、後壁３４に形成された排出孔１１０は、溝部１００の左端側である最も低い箇所の近傍と後面３２Ｃとを連通している。これにより、この画像読取装置１では、溝部１００内に溜まる液体を回路基板５４から遠ざけ、さらに排出孔１１０を経由して筐体３０の外部に排出できる。これにより、この画像読取装置１では、トレイ３６の保持面３６Ｈに垂れた液体が回路基板５４に到達する可能性を一層低減できる。
【０１００】
さらに、この画像読取装置１では、第２筐体３２内における第２導入口１２が設けられていない範囲には、回路基板５４への液体の到達を抑制する遮蔽物を配し易い。その一方、筐体３０内における第２導入口１２の周辺には、そのような遮蔽物を配し難い。具体的には、図１１（ａ）に示すように、溝部１００の右端側は、第２導入口１２の周辺で途切れている。この点、この画像読取装置１では、右側の第１吸収部材２１１が第２導入口１２の下側に位置しているので、そのような遮蔽物がなくても、具体的には、溝部１００の右端側が途切れていても、第１吸収部材２１１によって回路基板５４への液体の到達を抑制できる。
【０１０１】
以上において、本発明を実施例に即して説明したが、本発明は上記実施例に制限されるものではなく、その趣旨を逸脱しない範囲で適宜変更して適用できることはいうまでもない。
【０１０２】
例えば、第１吸収部材及び第２吸収部材は、フェルトに限定されず、液体を吸収可能な材質であれば、どのような材質であってもよい。第１吸収部材及び第２吸収部材は、例えば、多孔質材料（例：スポンジ等の発泡体）や、フェルトに例示される繊維が積層された材料など、毛管現象によって液体を吸収可能な材質であってもよい。あるいは、第１吸収部材及び第２吸収部材は、高吸水性樹脂など、浸透圧によって液体を吸収可能な材質であってもよい。
【符号の説明】
【０１０３】
１…画像読取装置（媒体搬送装置）、３１０…第１支持壁、３２０…第２支持壁
３０…筐体、ＳＨ、ＣＡ…媒体（ＳＨ…シート、ＣＡ…カード）、４０…搬送部
Ｘ３６Ａ…開閉軸心、３６Ｈ…保持面、３６…トレイ、５５…読取部（処理部）
３０Ｂ…筐体の底面、５４…回路基板、１２…導入口（第２導入口）
３１１…第１支持部、３２１…第２支持部、２１１、２２１…第１吸収部材
３１０Ａ…第１支持壁の内面、３２０Ａ…第１支持壁の内面、３４…側壁（後壁）
５８…対向部（補強部材）、３１９…第１カバー、３２９…第２カバー
３１０Ｂ…第１支持壁の外面、３２０Ｂ…第２支持壁の外面
２１２、２２２…第２吸収部材、２１１Ｈ、２２１Ｈ、２１２Ｈ、２２２Ｈ…凹部
２１１Ｅ、２２１Ｅ、２１２Ｅ、２２２Ｅ…第１吸収部材及び第２吸収部材の互いに対面する端面
【図１】
2015048164.tif 000003
【図２】
2015048164.tif 000004
【図３】
2015048164.tif 000005
【図４】
2015048164.tif 000006
【図５】
2015048164.tif 000007
【図６】
2015048164.tif 000008
【図７】
2015048164.tif 000009
【図８】
2015048164.tif 000010
【図９】
2015048164.tif 000011
【図１０】
2015048164.tif 000012
【図１１】
2015048164.tif 000013
【図１２】
2015048164.tif 000014